(57)【特許請求の範囲】
【請求項１】
ガスコンロの天板に開設したバーナ用開口の周囲に位置する天板上の複数の五徳爪を有する五徳であって、
バーナ用開口の前方に位置する前方五徳爪を有し、この前方五徳爪は、バーナ用開口の横方向中央部の前端に対し前方に所定距離離れた部分から横方向一方の斜め前方と横方向他方の斜め前方とにのびる山形爪部と、山形爪部の両端から横方向外方にのびる横長爪部とを有し、これら山形爪部と横長爪部の下端は全長に亘り天板の上面に接していることを特徴とする五徳。
【請求項２】
前記前方五徳爪は、前記山形爪部の中央部から前記バーナ用開口に向けて後方にのびる小爪部を有することを特徴とする請求項１記載の五徳。
【請求項３】
天板に横方向に並べて複数のバーナ用開口を開設したガスコンロであって、各バーナ用開口の周囲に位置する天板上の複数の五徳爪を有する五徳をバーナ用開口の個数と同数備えるものにおいて、
各五徳は請求項１又は２記載の五徳で構成され、隣接する横方向一方の五徳の前方五徳爪が有する横方向他方の横長爪部の端部と、隣接する横方向他方の五徳の前方五徳爪が有する横方向一方の横長爪部の端部とが近接対向することを特徴とするガスコンロ。
【請求項４】
天板に横方向一方と横方向他方と中央の３個のバーナ用開口を開設した３口ガスコンロであって、各バーナ用開口の周囲に位置する天板上の複数の五徳爪を有する五徳を横方向一方と横方向他方と中央の３個備えるものにおいて、
横方向一方と横方向他方の各五徳は請求項１又は２記載の五徳で構成され、
中央の五徳は、中央のバーナ用開口の前方に位置する前方五徳爪を有し、この前方五徳爪は、中央のバーナ用開口の横方向中央部の前端に対し前方に所定距離離れた部分から横方向一方の斜め前方と横方向他方の斜め前方とにのびる山形爪部を有し、この山形爪部の下端は全長に亘り天板の上面に接しており、
横方向一方の五徳の前方五徳爪が有する横方向他方の横長爪部の端部と中央の五徳の前方五徳爪が有する山形爪部の横方向一方の端部とが近接対向し、横方向他方の五徳の前方五徳爪が有する横方向一方の横長爪部の端部と中央の五徳の前方五徳爪が有する山形爪部の横方向他方の端部とが近接対向することを特徴とする３口ガスコンロ。
【発明の詳細な説明】
【技術分野】
【０００１】
本発明は、ガスコンロの天板に開設したバーナ用開口の周囲に位置する天板上の複数の五徳爪を有する五徳とこの五徳を用いたガスコンロに関する。
【背景技術】
【０００２】
五徳上に大径の調理容器を載置して加熱調理を行う場合、調理容器の下側からガスコンロの前方に比較的多量の燃焼排ガスが流出し、ガスコンロの前側に立つ使用者が熱く感じてしまう。
【０００３】
そこで、従来、特許文献１により、バーナ用開口の前方側に位置する一対の前方五徳爪と、バーナ用開口の後方側に位置する一対の後方五徳爪と、バーナ用開口の横方向一方と他方とに位置する一対の中間五徳爪とを備える五徳において、両前方五徳爪の間にバーナ用開口の周縁部に沿ってのびる前方連結部と、各前方五徳爪と各中間五徳爪との間にバーナ用開口の周縁部に沿ってのびる側方連結部とを設けたものが知られている。
【０００４】
このものでは、両前方五徳爪の間及び前方五徳爪と中間五徳爪との間に燃焼排ガスが流入せず、ガスコンロの前方への燃焼排ガスの流出が抑制されて、使用者が感じる熱さを軽減することができる。然し、両前方五徳爪の間及び前方五徳爪と中間五徳爪との間は、燃焼排ガスが流れないため調理容器の加熱に寄与せず、熱効率が低下してしまう不具合がある。
【先行技術文献】
【特許文献】
【０００５】
【特許文献１】特開２０１４−９５５２０号公報
【発明の概要】
【発明が解決しようとする課題】
【０００６】
本発明は、以上の点に鑑み、ガスコンロの前方への燃焼排ガスの流出を抑制して、且つ、熱効率の低下も抑制できるようにした五徳及びガスコンロを提供することをその課題としている。
【課題を解決するための手段】
【０００７】
上記課題を解決するために、本願の第１発明は、ガスコンロの天板に開設したバーナ用開口の周囲に位置する天板上の複数の五徳爪を有する五徳であって、バーナ用開口の前方に位置する前方五徳爪を有し、この前方五徳爪は、バーナ用開口の横方向中央部の前端に対し前方に所定距離離れた部分から横方向一方の斜め前方と横方向他方の斜め前方とにのびる山形爪部と、山形爪部の両端から横方向外方にのびる横長爪部とを有し、これら山形爪部と横長爪部の下端は全長に亘り天板の上面に接していることを特徴とする。
【０００８】
また、本願の第２発明は、天板に横方向に並べて複数のバーナ用開口を開設したガスコンロであって、各バーナ用開口の周囲に位置する天板上の複数の五徳爪を有する五徳をバーナ用開口の個数と同数備えるものにおいて、各五徳は第１発明の五徳で構成され、隣接する横方向一方の五徳の前方五徳爪が有する横方向他方の横長爪部の端部と、隣接する横方向他方の五徳の前方五徳爪が有する横方向一方の横長爪部の端部とが近接対向することを特徴とする。
【０００９】
また、本願の第３発明は、天板に横方向一方と横方向他方と中央の３個のバーナ用開口を開設した３口ガスコンロであって、各バーナ用開口の周囲に位置する天板上の複数の五徳爪を有する五徳を横方向一方と横方向他方と中央の３個備えるものにおいて、横方向一方と横方向他方の各五徳は第１発明の五徳で構成され、中央の五徳は、中央のバーナ用開口の前方に位置する前方五徳爪を有し、この前方五徳爪は、中央のバーナ用開口の横方向中央部の前端に対し前方に所定距離離れた部分から横方向一方の斜め前方と横方向他方の斜め前方とにのびる山形爪部を有し、この山形爪部の下端は全長に亘り天板の上面に接しており、横方向一方の五徳の前方五徳爪が有する横方向他方の横長爪部の端部と中央の五徳の前方五徳爪が有する山形爪部の横方向一方の端部とが近接対向し、横方向他方の五徳の前方五徳爪が有する横方向一方の横長爪部の端部と中央の五徳の前方五徳爪が有する山形爪部の横方向他方の端部とが近接対向することを特徴とする。
【００１０】
第１発明の五徳によれば、燃焼排ガスは前方五徳爪の後側の空間から横長爪部に沿って横方向に流れる。そのため、ガスコンロの前方への燃焼排ガスの流出が抑制され、使用者が感じる熱さを軽減できる。一方、前方五徳爪の前側の空間は、燃焼排ガスが流れないため調理容器の加熱に寄与しないが、前方五徳爪の山形爪部の中央部はバーナ用開口の横方向中央部の前端から前方に所定距離離れているため、前方五徳爪の後側の空間を広くして前側の空間を狭め、熱効率の低下を抑制できる。
【００１１】
尚、第１発明において、前方五徳爪は、山形爪部の中央部からバーナ用開口に向けて後方にのびる小爪部を有することが望ましい。これによれば、山形爪部の中央部に載らない小径の調理容器も安定して載置することができる。更に、前方五徳爪の後側空間の横方向両側部分に燃焼排ガスが小突起によりスムーズに分流されることになり、熱効率の低下が効果的に抑制される。
【００１２】
また、第２発明のガスコンロによれば、横方向に隣接する五徳の前方五徳爪の横長爪部の端部同士が近接対向するため、隣接する五徳の間からのガスコンロ前方への燃焼排ガスの流出を効果的に抑制できる。
【００１３】
また、第３発明の３口ガスコンロにおいて、中央の五徳の前方五徳爪は、山形爪部を有するものの横長爪部を有していない。然し、この山形爪部の各端部を横方向一方と他方の各五徳の前方五徳爪の横長爪部の端部に近接対向させることで、中央の五徳と横方向一方と他方の各五徳との間からのガスコンロ前方への燃焼排ガスの流出を効果的に抑制できる。
【図面の簡単な説明】
【００１４】
【図１】本発明の実施形態の３口ガスコンロを示す斜視図。
【図２】図１の３口ガスコンロの平面図。
【図３】図１の３口ガスコンロに設けられる五徳の斜め下方から見た斜視図。
【図４】本発明の実施形態の２口ガスコンロを示す斜視図。
【発明を実施するための形態】
【００１５】
図１乃至図３を参照して、１は本発明の実施形態のガスコンロを示している。このガスコンロ１は、箱形のコンロ本体２の上面を覆う天板３に、横方向に並べて３個のバーナ用開口、即ち、横方向一方（左方）のバーナ用開口４Ｌと横方向他方（右方）のバーナ用開口４Ｒと中央のバーナ用開口４Ｍとが開設されている３口ガスコンロである。尚、図示省略したが、コンロ本体２内には、各バーナ用開口４Ｌ，４Ｒ，４Ｍに臨むコンロバーナが設けられており、コンロ本体２の前面２１に、各コンロバーナの点消火及び火力調節のための操作摘み２２が配置されている。
【００１６】
また、ガスコンロ１は、左方のバーナ用開口４Ｌの周囲に位置する複数の五徳爪を有する左方の五徳５Ｌと、右方のバーナ用開口４Ｒの周囲に位置する複数の五徳爪を有する右方の五徳５Ｒと、中央のバーナ用開口４Ｍの周囲に位置する複数の五徳爪を有する中央の五徳５Ｍとを備えている。各五徳５Ｌ，５Ｒ，５Ｍは、対応する各バーナ用開口４Ｌ，４Ｒ，４Ｍの前方に位置する前方五徳爪５１と、各バーナ用開口４Ｌ，４Ｒ，４Ｍの左右両側に位置する前後各一対の側方五徳爪５２，５２と、各バーナ用開口４Ｌ，４Ｒ，４Ｍの後方に位置する後方五徳爪５３とを有する。
【００１７】
左方と右方の各五徳５Ｌ，５Ｒの前方五徳爪５１は、対応する各バーナ用開口４Ｌ，４Ｒの横方向中央部の前端に対し前方に所定距離離れた部分から横方向一方の斜め前方と横方向他方の斜め前方とにのびる山形爪部５１ａと、山形爪部５１ａの中央部から各バーナ用開口４Ｌ，４Ｒに向けて後方にのびる小爪部５１ｂと、山形爪部５１ａの両端から横方向外方にのびる横長爪部５１ｃ，５１ｃとを有している。そして、これら山形爪部５１ａと小爪部５１ｂと横長爪部５１ｃ，５１ｃの下端は全長に亘り天板３の上面に接している。
【００１８】
また、中央の五徳５Ｍの前方五徳爪５１は、中央のバーナ用開口４Ｍの横方向中央部の前端に対し前方に所定距離離れた部分から横方向一方の斜め前方と横方向他方の斜め前方とにのびる山形爪部５１ａと、山形爪部５１ａの中央部からバーナ用開口４Ｍに向けて後方にのびる小爪部５１ｂとを有しており、これら山形爪部５１ａと小爪部５１ｂの下端は全長に亘り天板３の上面に接している。
【００１９】
尚、本実施形態では、各五徳５Ｌ，５Ｒ，５Ｍの側方五徳爪５２及び後方五徳爪５３の下端も全長に亘り天板３の上面に接しているが、これら側方五徳爪５２や後方五徳爪５３や小爪部５１ｂは、その一部分の下端のみが天板３の上面に接するものであってもよい。
【００２０】
また、本実施形態では、左方の五徳５Ｌの前方五徳爪５１が有する右方の横長爪部５１ｃの端部と中央の五徳５Ｍの前方五徳爪５１が有する山形爪部５１の左方の端部とが近接対向し、右方の五徳５Ｒの前方五徳爪５１が有する左方の横長爪部５１ｃの端部と中央の五徳５Ｍの前方五徳爪５１が有する山形爪部５１ａの右方の端部とが近接対向するようにしている。
【００２１】
本実施形態の左右の各五徳５Ｌ，５Ｒによれば、燃焼排ガスは前方五徳爪５１ａの後側の空間から横長爪部５１ｃに沿って横方向に流れる。そのため、ガスコンロ１の前方への燃焼排ガスの流出が抑制され、使用者が感じる熱さを軽減できる。また、中央の五徳５Ｍの前方五徳爪５１は、横長爪部５１ｃを有していないが、中央の五徳５Ｍの前方五徳爪５１の山形爪部５１ａの各端部を左右の各五徳５Ｌ，５Ｒの前方五徳爪５１の横長爪部５１ｃの端部に近接対向させることで、中央の五徳５Ｍと左右の各五徳５Ｌ，５Ｒとの間からのガスコンロ前方への燃焼排ガスの流出を効果的に抑制できる。
【００２２】
ここで、各五徳５Ｌ，５Ｒ，５Ｍの前方五徳爪５１の前側の空間は、燃焼排ガスが流れないため調理容器の加熱に寄与しないが、前方五徳爪５１の山形爪部５１ａの中央部はバーナ用開口４Ｌ，４Ｒの横方向中央部の前端から前方に所定距離離れているため、前方五徳爪５１の後側の空間を広くして前側の空間を狭め、熱効率の低下を抑制できる。尚、調理容器の前端部が天板３の前端部にある程度近づく中程度の大きさの調理容器が山形爪部５１ａの中央部に載らない場合、山形爪部５１ａの中央部と調理容器の前端部との間から流出する燃焼排ガスが前方に流れて、使用者が熱さを感じてしまう。そのため、上記所定距離は、天板３の前端部と調理容器の前端部との間の距離が３５ｍｍ程度以下となる中程度以上の大きさの調理容器が山形爪部５１ａの中央部に載るように設定することが望ましい。
【００２３】
また、本実施形態では、各五徳５Ｌ，５Ｒ，５Ｍの前方五徳爪５１が山形爪部５１ａの中央部から後方にのびる小爪部５１ｂを有しているため、山形爪部５１ａの中央部に載らない小径の調理容器も安定して載置することができる。更に、前方五徳爪５１の後側空間の横方向両側部分に燃焼排ガスが小爪部５１ｂによりスムーズに分流されることになり、熱効率の低下が効果的に抑制される。
【００２４】
ところで、本実施形態では、各五徳５Ｌ，５Ｒ，５Ｍを天板３と一体化している。即ち、天板３を横方向に３分割して、左方の分割天板３Ｌと左方の五徳５Ｌ、右方の分割天板３Ｒと右方の五徳５Ｒ、中央の分割天板３Ｍと中央の五徳５Ｍを夫々一体化している。そして、各分割天板３Ｌ，３Ｒ，３Ｍを、図３に示す如く前後各複数個所に垂設した脚片部３１でコンロ本体２に載置している。
【００２５】
ここで、前側の脚片部３１は、その厚さ方向が横方向になるように形成し、脚片部３１から前方への輻射熱量を減少できるようにしている。また、前側の脚片部３１，３１間の隙間からコンロ本体２の内容物が見えてしまうことを防止するため、前側の脚片部３１，３１よりも奥側に横長の目隠し用の突条３２を垂設している。尚、図３は左方の五徳５Ｌを示しているが、右方と中央の各五徳５Ｒ，５Ｍも同様である。
【００２６】
次に、図４に示すガスコンロ１について説明する。このガスコンロ１は、天板３に横方向に並べて２個のバーナ用開口、即ち、横方向一方（左方）のバーナ用開口４Ｌと、横方向他方（右方）のバーナ用開口４Ｒとを開設した２口ガスコンロである。上記３口ガスコンロ１と同様の部材部位には上記と同一の符号を付している。
【００２７】
左方のバーナ用開口４Ｌに対応する左方の五徳５Ｌと、右方のバーナ用開口４Ｒに対応する右方の五徳５Ｒは、夫々上記実施形態の左右の各五徳５Ｌ，５Ｒと同一のものとしている。そして、左方の五徳５Ｌの前方五徳爪５１が有する右方の横長爪部５１ｃの端部と右方の五徳５Ｒの前方五徳爪５１が有する左方の横長爪部５１ｃの端部とが近接対向するようにしている。このものでも、左右の五徳５Ｌ，５Ｒの間からのガスコンロ前方への燃焼排ガスの流出を効果的に抑制できる。
【００２８】
以上、本発明の実施形態について図面を参照して説明したが、本発明はこれに限定されない。例えば、上記実施形態の３口ガスコンロ１では、中央の五徳５Ｍの前方五徳爪５１が横長爪部５１ｃを有しないが、中央の五徳５Ｍの横幅を広く確保できるなら、その前方五徳爪５１を左右の五徳５Ｌ，５Ｒの前方五徳爪５１と同様に横長爪部５１ｃを有するものとしてもよい。また、山形爪部５１ａを、中央部にある程度の長さの横方向にのびる部分を有する形状に形成してもよい。更に、各五徳５Ｌ，５Ｒ，５Ｍを天板３と別体とすることも可能である。
【符号の説明】
【００２９】
１…ガスコンロ、３…天板、４Ｌ…左方のバーナ用開口、４Ｒ…右方のバーナ用開口、４Ｍ…中央のバーナ用開口、５Ｌ…左方の五徳、５Ｒ…右方の五徳、５Ｍ…中央の五徳、５１…前方五徳爪、５１ａ…山形爪部、５１ｂ…小爪部、５１ｃ…横長爪部。
【図１】
0006027073.tif 000002
【図２】
0006027073.tif 000003
【図３】
0006027073.tif 000004
【図４】
0006027073.tif 000005